(57)【要約】【課題】入口領域から出口領域を視認することが出来ないトンネルに対して車両が進入した際に、当該車両のユーザが抱く不安の低減を図ることにより、ユーザの安全性、及び快適性の確保を図ることが可能なナビゲーションシステム、ナビゲーション方法、及びナビゲーションプログラムを提供すること。【解決手段】車載ナビ１は、車両の現在位置を取得する現在位置取得部２と、トンネル情報を取得するトンネル情報取得部５ａと、車両が進入するトンネルを特定するトンネル特定部５ｃと、特定されたトンネルの入口領域からトンネル内部を介してトンネルの出口領域が視認不可能であるか否かを判定し、視認不可能であると判定した場合には、特定したトンネルが案内対象トンネルであると判定する判定部５ｄと、特定されたトンネルが案内対象トンネルであると判定された場合、案内対象トンネルに関する案内をユーザに行う案内部５ｅとを備える。【選択図】図１
2015010854.tif 000002
【特許請求の範囲】
【請求項１】
車両の現在位置を取得する現在位置取得手段と、
トンネルに関するトンネル情報を取得するトンネル情報取得手段と、
前記現在位置取得手段にて取得された現在位置と、前記トンネル情報取得手段にて取得されたトンネル情報とに基づいて、当該車両が進入するトンネルを特定するトンネル特定手段と、
前記トンネル特定手段により特定されたトンネルが案内対象とすべき案内対象トンネルであるか否かを判定する判定手段であって、当該特定されたトンネルの入口側の所定領域である入口領域から当該トンネル内部を介して当該トンネルの出口側の所定領域である出口領域が視認不可能であるか否かを判定し、視認不可能であると判定した場合には、当該特定したトンネルが前記案内対象トンネルであると判定する判定手段と、
前記判定手段により前記特定されたトンネルが前記案内対象トンネルであると判定された場合、前記トンネル情報取得手段にて取得されたトンネル情報に基づいて、当該案内対象トンネルに関する案内をユーザに出力する案内手段と、を備える、
ナビゲーションシステム。
【請求項２】
前記判定手段は、前記トンネル特定手段にて特定された前記トンネルが水平平面視上において湾曲していることによって、当該トンネルにおける前記入口領域のいずれかの位置と当該トンネルにおける前記出口領域のいずれかの位置とを、前記水平平面視上において前記トンネル上のみを通る直線によって相互に接続することができない場合に、当該トンネルにおける前記入口領域から前記出口領域が視認不可能であると判定する、
請求項１に記載のナビゲーションシステム。
【請求項３】
前記判定手段は、前記トンネル特定手段にて特定された前記トンネルが鉛直平面視上において湾曲していることによって、当該トンネルにおける前記入口側の開口部のいずれかの位置と当該トンネルにおける前記出口側の開口部のいずれかの位置とを、前記鉛直平面視上において前記トンネル上のみを通る直線によって相互に接続することができない場合に、当該トンネルにおける前記入口領域から前記出口領域が視認不可能であると判定する、
請求項１又は２に記載のナビゲーションシステム。
【請求項４】
前記判定手段は、時刻に基づいて、前記入口領域の範囲又は前記出口領域の範囲を決定する、
請求項１から３のいずれか一項に記載のナビゲーションシステム。
【請求項５】
前記判定手段は、前記トンネル特定手段により特定されたトンネルの長さが所定の長さ以上であるか否かを判定し、
前記案内手段は、前記判定手段にて前記トンネルの長さが所定の長さ以上であると判定された場合には、前記判定手段にて当該トンネルは前記案内対象トンネルではないと判定された場合であっても、当該トンネルに関する案内をユーザに出力する、
請求項１から４のいずれか一項に記載のナビゲーションシステム。
【請求項６】
トンネル内の避難経路に関する避難経路情報を取得する避難経路情報取得手段を備え、
前記判定手段は、前記トンネル特定手段により特定された前記トンネルに避難経路が存在するか否かを、前記避難経路情報取得手段にて取得された前記避難経路情報に基づいて判定し、
前記案内手段は、前記判定手段にて前記トンネルに避難経路が存在すると判定された場合には、前記判定手段にて当該トンネルは前記案内対象トンネルではないと判定された場合であっても、当該避難経路に関する避難経路情報をユーザに出力する、
請求項１から５のいずれか一項に記載のナビゲーションシステム。
【請求項７】
車両の現在位置を取得する現在位置取得ステップと、
トンネルに関するトンネル情報を取得するトンネル情報取得ステップと、
前記現在位置取得ステップにおいて取得された現在位置と、前記トンネル情報取得ステップにおいて取得されたトンネル情報とに基づいて、当該車両が進入するトンネルを特定するトンネル特定ステップと、
前記トンネル特定ステップにおいて特定されたトンネルが案内対象とすべき案内対象トンネルであるか否かを判定する判定ステップであって、当該特定されたトンネルの入口側の所定領域である入口領域から当該トンネル内部を介して当該トンネルの出口側の所定領域である出口領域が視認不可能であるか否かを判定し、視認不可能であると判定した場合には、当該特定したトンネルが前記案内対象トンネルであると判定する判定ステップと、
前記判定ステップにおいて前記特定されたトンネルが前記案内対象トンネルであると判定された場合、前記トンネル情報取得ステップにおいて取得されたトンネル情報に基づいて、当該案内対象トンネルに関する案内をユーザに出力する案内ステップと、を含む、
ナビゲーション方法。
【請求項８】
請求項７に記載の方法をコンピュータに実行させるためのナビゲーションプログラム。
【発明の詳細な説明】
【技術分野】
【０００１】
本発明は、ナビゲーションシステム、ナビゲーション方法、及びナビゲーションプログラムに関する。
【背景技術】
【０００２】
車両がトンネルを走行する際、車両の運転者は、トンネルの内部が暗いことや、車両の周囲の風景が見えなくなることで、トンネルにおける車両の現在位置が把握し辛くなるため、不安を抱くことがある。この点に鑑みて、従来、車両がトンネルに進入した際に、当該トンネルに関する各種の情報を当該車両の運転者に対して案内するナビゲーションシステムが提案されている。このようなナビゲーションシステムによれば、車両が進入しようとしているトンネルに関する各種の情報を運転者に案内することが出来るので、運転者の不安を解消することが可能である。
【０００３】
しかしながら、このようなナビゲーションシステムにおいて、全てのトンネルを一律に対象として案内を行った場合には、運転者に煩わしさを与える可能性等がある。このため、車速とトンネルの長さ等に基づいて車両がトンネルを通過する時間を算定し、この時間に応じてトンネル案内を行うか否かを判断することにより、不必要なトンネル案内を防止するナビゲーションシステムも提案されている（例えば、特許文献１参照）。
【先行技術文献】
【特許文献】
【０００４】
【特許文献１】国際公開第０１／００２８０５号パンフレット
【発明の概要】
【発明が解決しようとする課題】
【０００５】
しかしながら、トンネルを走行する車両の運転者が抱く不安は、車両がトンネルを通過する時間のみに起因するのではなく、他の条件に起因することが考えられる。例えば、トンネルが左右にカーブしている場合や、トンネルの入口と出口の相互間に高低差が存在する場合には、車両がトンネルの入口付近の領域（以下、入口領域）に進入した際に、当該車両の運転者がトンネルの出口付近の領域（以下、出口領域）を視認することができない場合がある。この場合において、トンネルに進入した運転者は、車両がトンネルを通過する時間が比較的短い場合であっても、トンネルの出口が視認できないことに起因する不安を抱く可能性が高い。
【０００６】
本発明は、上記に鑑みてなされたものであって、入口領域から出口領域を視認することが出来ないトンネルに対して車両が進入した際において、車両の運転者等が抱く不安を低減することが可能となり、運転者等の安全性及び快適性を向上させることが可能となる、ナビゲーションシステム、ナビゲーション方法、及びナビゲーションプログラムを提供することを目的とする。
【課題を解決するための手段】
【０００７】
上述した課題を解決し、目的を達成するために、請求項１に記載のナビゲーションシステムは、車両の現在位置を取得する現在位置取得手段と、トンネルに関するトンネル情報を取得するトンネル情報取得手段と、前記現在位置取得手段にて取得された現在位置と、前記トンネル情報取得手段にて取得されたトンネル情報とに基づいて、当該車両が進入するトンネルを特定するトンネル特定手段と、前記トンネル特定手段により特定されたトンネルが案内対象とすべき案内対象トンネルであるか否かを判定する判定手段であって、当該特定されたトンネルの入口側の所定領域である入口領域から当該トンネル内部を介して当該トンネルの出口側の所定領域である出口領域が視認不可能であるか否かを判定し、視認不可能であると判定した場合には、当該特定したトンネルが前記案内対象トンネルであると判定する判定手段と、前記判定手段により前記特定されたトンネルが前記案内対象トンネルであると判定された場合、前記トンネル情報取得手段にて取得されたトンネル情報に基づいて、当該案内対象トンネルに関する案内をユーザに出力する案内手段と、を備える。
【０００８】
また、請求項２に記載のナビゲーションシステムは、請求項１に記載のナビゲーションシステムにおいて、前記判定手段は、前記トンネル特定手段にて特定された前記トンネルが水平平面視上において湾曲していることによって、当該トンネルにおける前記入口領域のいずれかの位置と当該トンネルにおける前記出口領域のいずれかの位置とを、前記水平平面視上において前記トンネル上のみを通る直線によって相互に接続することができない場合に、当該トンネルにおける前記入口領域から前記出口領域が視認不可能であると判定する。
【０００９】
また、請求項３に記載のナビゲーションシステムは、請求項１又は２に記載のナビゲーションシステムにおいて、前記判定手段は、前記トンネル特定手段にて特定された前記トンネルが鉛直平面視上において湾曲していることによって、当該トンネルにおける前記入口側の開口部のいずれかの位置と当該トンネルにおける前記出口側の開口部のいずれかの位置とを、前記鉛直平面視上において前記トンネル上のみを通る直線によって相互に接続することができない場合に、当該トンネルにおける前記入口領域から前記出口領域が視認不可能であると判定する。
【００１０】
また、請求項４に記載のナビゲーションシステムは、請求項１から３のいずれか一項に記載のナビゲーションシステムにおいて、前記判定手段は、時刻に基づいて、前記入口領域の範囲又は前記出口領域の範囲を決定する。
【００１１】
また、請求項５に記載のナビゲーションシステムは、請求項１から４のいずれか一項に記載のナビゲーションシステムにおいて、前記判定手段は、前記トンネル特定手段により特定されたトンネルの長さが所定の長さ以上であるか否かを判定し、前記案内手段は、前記判定手段にて前記トンネルの長さが所定の長さ以上であると判定された場合には、前記判定手段にて当該トンネルは前記案内対象トンネルではないと判定された場合であっても、当該トンネルに関する案内をユーザに出力する。
【００１２】
また、請求項６に記載のナビゲーションシステムは、請求項１から５のいずれか一項に記載のナビゲーションシステムにおいて、トンネル内の避難経路に関する避難経路情報を取得する避難経路情報取得手段を備え、前記判定手段は、前記トンネル特定手段により特定された前記トンネルに避難経路が存在するか否かを、前記避難経路情報取得手段にて取得された前記避難経路情報に基づいて判定し、前記案内手段は、前記判定手段にて前記トンネルに避難経路が存在すると判定された場合には、前記判定手段にて当該トンネルは前記案内対象トンネルではないと判定された場合であっても、当該避難経路に関する避難経路情報をユーザに出力する。
【００１３】
また、請求項７に記載のナビゲーション方法は、車両の現在位置を取得する現在位置取得ステップと、トンネルに関するトンネル情報を取得するトンネル情報取得ステップと、前記現在位置取得ステップにおいて取得された現在位置と、前記トンネル情報取得ステップにおいて取得されたトンネル情報とに基づいて、当該車両が進入するトンネルを特定するトンネル特定ステップと、前記トンネル特定ステップにおいて特定されたトンネルが案内対象とすべき案内対象トンネルであるか否かを判定する判定ステップであって、当該特定されたトンネルの入口側の所定領域である入口領域から当該トンネル内部を介して当該トンネルの出口側の所定領域である出口領域が視認不可能であるか否かを判定し、視認不可能であると判定した場合には、当該特定したトンネルが前記案内対象トンネルであると判定する判定ステップと、前記判定ステップにおいて前記特定されたトンネルが前記案内対象トンネルであると判定された場合、前記トンネル情報取得ステップにおいて取得されたトンネル情報に基づいて、当該案内対象トンネルに関する案内をユーザに出力する案内ステップと、を含む。
【００１４】
また、請求項８に記載のナビゲーションプログラムは、請求項７に記載の方法をコンピュータに実行させるナビゲーションプログラムである。
【発明の効果】
【００１５】
請求項１に記載のナビゲーションシステム、請求項７に記載のナビゲーション方法、及び請求項８に記載のナビゲーションプログラムによれば、車両が進入するトンネルが、トンネルの入口領域から出口領域を視認不可能な案内対象トンネルである場合には当該案内対象トンネルに関する案内を出力するので、車両のユーザが入口領域から出口領域を視認することが出来ず当該ユーザに対して不安を抱かせる可能性の高いトンネルに進入した際に、車両のユーザが抱く不安を低減することが可能となり、ユーザの安全性及び快適性を向上させることが可能となる。
【００１６】
また、請求項２に記載のナビゲーションシステムによれば、トンネルにおける入口領域のいずれかの位置と当該トンネルにおける出口領域のいずれかの位置とを、水平平面視上において当該トンネル上のみを通る直線によって相互に接続することができない場合、当該トンネルが案内対象トンネルであると判定するので、トンネルが案内対象トンネルであるか否かを、トンネルの水平平面内の形状の観点から容易かつ正確に特定することが可能となる。
【００１７】
また、請求項３に記載のナビゲーションシステムによれば、トンネルにおける入口領域のいずれかの位置と当該トンネルにおける出口領域のいずれかの位置とを、鉛直平面視上において当該トンネル上のみを通る直線によって相互に接続することができない場合、トンネルが案内対象トンネルであると判定するので、トンネルが案内対象トンネルであるか否かを、トンネルの鉛直平面内の形状の観点から容易かつ正確に特定することが可能となる。
【００１８】
また、請求項４に記載のナビゲーションシステムによれば、時刻に基づいて入口領域の範囲又は出口領域の範囲を決定するので、例えば夜間等のようにトンネル内に入る光量が少なく入口領域から出口領域が視認し難い可能性の高い時刻においては、案内対象トンネルとして判定されるトンネルの範囲を広げることが可能になる等、時刻に応じたトンネル周辺の環境変化を、トンネル情報の案内の有無の判定に反映させることが可能となる。
【００１９】
また、請求項５に記載のナビゲーションシステムによれば、トンネルの長さが所定の長さ以上であると判定された場合には、トンネルは前記案内対象トンネルではないと判定された場合であっても、トンネルに関する案内をユーザに出力するので、トンネルの入口領域から出口領域が視認可能な場合であってもトンネルの長さが長いために車両のユーザに不安を抱かせる可能性が高い場合において、トンネルに関する案内がユーザに出力されない事態を防止することが可能となり、トンネルの長さに起因して車両のユーザが抱く不安を低減することが可能となる。
【００２０】
また、請求項６に記載のナビゲーションシステムによれば、トンネルに避難経路が存在すると判定された場合には、トンネルは前記案内対象トンネルではないと判定された場合であっても、避難経路に関する避難経路情報をユーザに出力するので、トンネルの入口領域から出口領域が視認可能な場合であっても避難経路があるためにトンネルの安全性について車両のユーザに不安を抱かせる可能性が高い場合において、避難経路に関する情報をユーザに出力することができ、避難経路の存在に起因して車両のユーザが抱く不安を低減することが可能となる。
【図面の簡単な説明】
【００２１】
【図１】本発明の実施の形態に係る車載ナビを例示するブロック図である。
【図２】案内処理のフローチャートである。
【図３】トンネルの水平平面図であり、図３（ａ）は、案内対象トンネルではないトンネル、図３（ｂ）は、案内対象トンネルを示す図である。
【図４】トンネルの水平平面図であり、図３（ｂ）とは異なる入口領域及び異なる出口領域が設定されたトンネルを示す図である。
【図５】トンネルの鉛直平面図であり、図５（ａ）は、案内対象トンネルではないトンネル、図５（ｂ）は、案内対象トンネルを示す図である。
【図６】ディスプレイの表示例を示す図である。
【発明を実施するための形態】
【００２２】
以下、本発明に係るナビゲーションシステム、ナビゲーション方法、及びナビゲーションプログラムの実施の形態について、図面を参照しつつ詳細に説明する。ただし、この実施の形態によって本発明が限定されるものではない。
【００２３】
（本実施の形態の基本的概念）
最初に、本実施の形態の基本的概念について説明する。本実施の形態は、概略的に、案内対象となるトンネルである案内対象トンネルに関する案内を車両のユーザに行うためのナビゲーションシステム、ナビゲーション方法、及びナビゲーションプログラムに関する。
【００２４】
ここで、「トンネル」とは、側壁又は天井によって少なくとも一部分の領域が覆われた一部閉鎖空間であって、代表的には、山間トンネルや海底トンネルが該当するが、この他にも、例えば、地下道や地下駐車場等の空間を含む。本実施の形態では、トンネルは、側壁及び天井によって側面の全面及び上面の全面が覆われた山間トンネルであるものとして説明する。なお、このように側壁及び天井によって覆われた内部空間のことを、以下では「トンネル内部」と称して説明する。このトンネル内部は、少なくとも車両が進入することが可能な程度の広さの領域があれば足り、地下駐車場のように車道が設けられていない領域であってもよいが、本実施の形態では、片側一車線の車道が設けられているものとして説明する。このような各種のトンネルの中で、ユーザに対して案内を行うものとして特定されたトンネルを「案内対象トンネル」と称する。この案内対象トンネルを特定するための方法等については後述する。
【００２５】
本実施の形態において、案内対象トンネルに関する案内は、トンネル情報に基づいて行う。ここで、「トンネル情報」とは、トンネルに関する情報である。このトンネル情報は、車両が進入するトンネルを特定するために使用される情報であると共に、トンネルを走行する車両のユーザが当該トンネルを走行する際に抱く不安を低減するために、当該ユーザに対する案内を行うために使用される情報である。例えば、このトンネル情報に含まれる具体的な情報については後述する。なお、「ユーザ」とは、ナビゲーションシステムのユーザであり、代表的には、車両の運転者であるが、車両の助手席や後部座席に同乗する同乗者であってもよい。
【００２６】
また、本実施の形態では、車載用ナビゲーション装置（以下、車載ナビと称する）にナビゲーションプログラムをインストールすることにより、車載用ナビゲーションがナビゲーションシステムとして機能する場合について説明するが、この他にも、スマートフォンや携帯用ナビゲーション装置を含む任意の装置によってナビゲーションシステムを構成してもよい。また、ナビゲーションシステムにおける車載ナビとしての一般的な機能については、公知の車載ナビと同様の構成により得ることができるので、その説明は省略する事とし、特にトンネルに関するトンネル情報を案内する機能を達成するための構成について説明する。なお、このナビゲーションシステムを搭載した車両を、以下では「自車両」と称して説明する。
【００２７】
（本実施の形態の具体的内容）
次に、本実施の形態の具体的内容について説明する。
【００２８】
（構成）
まず、本実施の形態に係る車載ナビ１としてのナビゲーションシステムの構成を説明する。図１は、本実施の形態に係る車載ナビ１を例示するブロック図である。図１に示すように、車載ナビ１は、現在位置取得部２、タッチパネル３、ディスプレイ４、制御部５、及び、データ記録部６を備えている。
【００２９】
（構成−現在位置取得部）
現在位置取得部２は、自車両の現在位置を取得する現在位置取得手段である。例えば、現在位置取得部２は、ＧＰＳ、地磁気センサ、距離センサ、又はジャイロセンサ（いずれも図示省略）の少なくとも一つにより検出した現在の車載ナビ１の位置（座標）及び方位等を、公知の方法にて取得する。なお、本実施の形態では、現在位置取得部２は、ＧＰＳに加えて、ジャイロセンサにより検出した現在位置を取得するためのものである事として説明し、車両がトンネルの内部に位置する場合であっても車両の現在位置を取得することが可能である。
【００３０】
（構成−タッチパネル）
タッチパネル３は、ユーザの指等で押圧されることにより、当該ユーザから各種手動入力を受け付けるものである。このタッチパネル３は、透明又は半透明状に形成され、ディスプレイ４の前面において当該ディスプレイ４の表示面と重畳するように設けられている。このタッチパネル３としては、例えば抵抗膜方式や静電容量方式等による操作位置検出手段を備えた公知のタッチパネルを使用することができる。なお、本実施の形態ではこのようにタッチパネル３によりユーザから各手動入力を受け付けるものとして説明したが、タッチパネル３に代えて又はタッチパネル３と共に、その他の任意の操作手段を使用することができ、例えば公知のリモートコントローラーによりユーザからの入力を受け付けても良い。
【００３１】
（構成−ディスプレイ）
ディスプレイ４は、後述する制御部５の案内部５ｅによって案内された画像を表示する表示手段であり、特に、後述する地図データベース（以下、データベースを「ＤＢ」と称する）６ａにて格納された地図情報に基づいて地図を表示し、また、後述する地図ＤＢ６ａにて格納されたトンネル情報に基づいてトンネル情報を表示する表示手段である。このディスプレイ４の具体的な構成は任意であり、公知の液晶ディスプレイや有機ＥＬディスプレイの如きフラットパネルディスプレイを使用することができる。
【００３２】
（構成−制御部）
制御部５は、車載ナビ１を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、本実施の形態に係るナビゲーションプログラムは、任意の記録媒体又はネットワークを介して車載ナビ１にインストールされることで、制御部５の各部を実質的に構成する。
【００３３】
この制御部５は、機能概念的に、トンネル情報取得部５ａ、避難経路情報取得部５ｂ、トンネル特定部５ｃ、判定部５ｄ、及び案内部５ｅを備える。トンネル情報取得部５ａは、トンネルに関するトンネル情報を取得するトンネル情報取得手段である。避難経路情報取得部５ｂは、トンネル内の避難経路に関する避難経路情報を取得する避難経路情報取得手段である。ここで、「避難経路」とは、トンネルから人が外部に避難するための経路であって、非常口、避難通路、火災消火設備や排煙設備等の防災設備に至る経路等を含む。以下では、避難経路として、非常口を案内する例について説明する。トンネル特定部５ｃは、現在位置取得部２にて取得された現在位置と、トンネル情報取得部５ａにて取得されたトンネル情報とに基づいて、自車両が進入するトンネルを特定するトンネル特定手段である。判定部５ｄは、トンネル特定部５ｃにて特定されたトンネルが案内対象とすべき案内対象トンネルであるか否かを判定する判定手段である。案内部５ｅは、トンネル情報取得部５ａにて取得されたトンネル情報に基づいて、案内対象トンネルに関する案内をユーザに行う案内手段である。これら制御部５の各部により行われる具体的な処理については後述する。
【００３４】
（構成−データ記録部）
データ記録部６は、車載ナビ１の動作に必要なプログラム及び各種のデータを記録する記録手段であり、例えば、外部記録装置としてのハードディスク（図示省略）を用いて構成されている。ただし、ハードディスクに代えてあるいはハードディスクと共に、磁気ディスクの如き磁気的記録媒体、又はＤＶＤやブルーレイディスクの如き光学的記録媒体を含む、その他の任意の記録媒体を用いることができる。
【００３５】
このデータ記録部６は、地図ＤＢ６ａを備えている。この地図ＤＢ６ａは、「地図情報」を格納する地図情報格納手段であると共に、「トンネル情報」を格納するトンネル情報格納手段である。「地図情報」とは、地図に関する情報であって、例えば道路リンクデータ（道路リンク番号、接続ノード番号、道路座標、道路種別（道路が一般道路であるか高速道路を特定するための情報を含む）、車線数、走行規制、ノードデータ（ノード番号、座標）、地物データ（信号機、道路標識、ガードレール、建物等）、対象地物データ（交差点、一時停止線、踏切、カーブ、ＥＴＣ料金所、高速出口等）、施設データ（各施設の位置、各施設の種別等）、地形データ、地図をディスプレイ４に表示するための地図表示データ等を含んで構成されている。また、「トンネル情報」とは、上述したようにトンネルに関する情報である。このトンネル情報は、具体的には、トンネルの位置データ（トンネル入口の座標、トンネル出口の座標等）、形状（全長（トンネルの入口から出口までの道なりの距離）、トンネル内部の幅、トンネル内部の高さ、トンネルの水平断面データ、トンネルの鉛直断面データ）、トンネル内に存在する非常口の位置座標等を含んで構成されている。ここで、「トンネルの入口」及び「トンネルの出口」は、いずれもトンネルの開口面を示す概念であり、車両の進入方向から見て手前側の開口面が「トンネルの入口」、車両の進入方向から見て奥側の開口面が「トンネルの出口」である。ただし、これらトンネルの入口とトンネルの出口とは、相互に特に区別する必要の無いときは、単に「トンネルの出入口」と称して説明する。「トンネルの水平断面データ」とは、水平断面によるトンネルの断面図の画像データであり、トンネルの高さ方向の各位置における複数の断面データである。「トンネルの鉛直断面データ」とは、鉛直断面によるトンネルの断面図の画像データであり、トンネルの幅方向の各位置における複数の断面データである。これら水平断面データと鉛直断面データは、後述する入口領域から出口領域の視認の可否を判断するためのデータであるが、このような判断を行うことが可能なものであれば、他のデータを格納してもよく、例えば、トンネルの３ＤのＣＡＤデータを格納してもよい。
【００３６】
（案内処理）
次に、このように構成される車載ナビ１によって実行される案内処理について説明する。この案内処理は、概略的に、車両が進入するトンネルが案内対象とすべき案内対象トンネルであるか否かを判定して、案内対象トンネルである場合にはユーザに対して各種案内を行うための処理である。図２は、案内処理のフローチャートである。なお、この案内処理の実行タイミングは任意であり、例えば、車載ナビ１が起動している限り継続して実行される。すなわち、車載ナビ１が起動している限りにおいて、案内処理が終了し次第、再度初めから案内処理が実行される。なお、以下の処理の説明において、制御主体を特記しない処理については、車載ナビ１の制御部５にて実行されるものとし、情報の取得元や取得経路を特記しない場合については、公知のタイミング及び公知の方法にて、車載ナビ１のデータ記録部６に予め格納されており、あるいは、車載ナビ１のタッチパネル３を介してユーザによって入力されるものとする。また、ステップを「Ｓ」と略記する。
【００３７】
初めに、トンネル特定部５ｃは、車両が進入するトンネルを特定する（ＳＡ１）。ここで、「車両が進入するトンネル」とは、自車両の進行方向の前方に存在するトンネルであり、自車両が走行を続けることにより当該自車両が進入すると推定されるトンネルである。例えば、車両の出発地から目的地までの走行経路が公知の経路探索方法によって探索されている場合には、当該走行経路上において自車両の現在位置と目的地との相互間に位置するトンネルであって、自車両の現在位置から所定距離以内に位置するトンネルを、自車両が進入するトンネルとしてもよい。より具体的には、トンネル特定部５ｃは、現在位置取得部２にて取得された自車両の現在位置の位置座標に基づいて、当該走行経路上に位置するトンネルの中から、自車両の現在位置と目的地との相互間に位置するトンネルを抽出する。また、トンネル情報取得部５ａは、当該抽出したトンネルの出入口の位置座標を地図ＤＢ６ａから取得する。そして、トンネル特定部５ｃは、トンネル情報取得部５ａにて取得されたトンネルの出入口の位置座標と、現在位置取得部２にて取得された自車両の現在位置の位置座標とを比較し、これらが所定距離以内に存在するかを判定する。そして、所定距離以内に存在しないと判定した場合には、自車両が進入するトンネルが特定できないため（ＳＡ１、Ｎｏ）、自車両が進入するトンネルが特定できるまで、ＳＡ１の処理を繰り返し実行する。一方、所定距離以内に存在すると判定した場合には、当該トンネルを自車両が進入するトンネルであると特定できると判定する（ＳＡ１、Ｙｅｓ）。
【００３８】
そして、自車両が進入するトンネルを特定した場合（ＳＡ１、Ｙｅｓ）、判定部５ｄは、当該特定されたトンネルが、ユーザへの案内対象とすべき案内対象トンネルであるか否かを判定するために、以下に示すＳＡ２、及びＳＡ３の判定を順次行う。ここでは、ユーザに不安を抱かせる可能性の有るトンネルを案内対象トンネルとして特定するため、当該特定されたトンネルが、トンネルの入口領域から当該トンネル内部を介して当該トンネルの出口領域が視認不可能なトンネルであるか否かを判定する。そして、視認不可能なトンネルである場合には、当該トンネルを案内対象トンネルであるとして特定し、視認不可能なトンネルでない場合には、当該トンネルを案内対象トンネルではないと特定する。
【００３９】
ここで、「視認不可能」とは、トンネルの側壁や天井等によってユーザの視線が遮られるために、トンネルの入口領域から当該トンネル内部を介して当該トンネルの出口領域を視認することができない状態を意味している。つまり、このように視認することができない状態の場合、トンネル内部を走行する自車両のユーザは、トンネルの出口領域を視認することができず、トンネルの内部における自車両の位置を把握すること等ができないため、不安を抱く可能性が高いと考える。なお、「トンネル内部を介して」としたのは、例えば、トンネルが大きく湾曲している場合であっても、トンネルの入口から、トンネルの外部のみを介して、トンネルの出口を直接的に視認することができる状態があり得ることを想定したためである。このように、トンネルの外部のみを介してトンネルの出口を視認できる場合であっても、トンネル内部を介してユーザがトンネルの出口を視認することができない場合には、車両のユーザに不安を抱かせる可能性が高い。そこで、トンネル内部を介してトンネルの出口領域を視認することができない場合には、トンネルの外部のみを介して出口領域を視認することができる場合であっても、視認不可能と判定することで、当該トンネルを案内対象トンネルに含めることとしている。
【００４０】
また、「入口領域」とは、車両が進入するトンネルの入口側の所定領域であって、トンネルの入口（進入方向から見て手前側の開口面）と、当該トンネルの入口よりもトンネルの出口側に位置する断面であってトンネル内部における車両の走行方向に対して直交する断面（以下、入口領域断面）と、の相互間に位置するトンネル内部の全領域である。なお、トンネルの入口から入口領域断面に至る長さであってトンネル内部における車両の走行方向に沿った長さを、「入口領域長」と称する。また、「出口領域」とは、車両が進入するトンネルの出口側の所定領域であって、トンネルの出口（進入方向から見て奥側の開口面）と、当該トンネルの出口よりもトンネルの入口側に位置する断面であってトンネル内部における車両の走行方向に対して直交する断面（以下、出口領域断面）と、の相互間に位置するトンネル内部の全領域である。なお、トンネルの出口から出口領域断面に至る長さであってトンネル内部における車両の走行方向に沿った長さを、「出口領域長」と称する。
【００４１】
このように、案内対象トンネルを、入口領域からトンネル内部を介して出口領域が視認不可能なトンネルとするのは、以下の理由による。例えば、トンネルの入口から出口が視認不可能な場合であっても、トンネルの入口からトンネル内部に向けて日光が入っているために、この日光に照らされたトンネル内部の領域を車両が走行している間には、ユーザは不安を感じることが少ないと考えられることを考慮して、このような領域を入口領域として設定する。あるいは、トンネルの入口から出口が視認不可能な場合であっても、トンネルの出口からトンネル内部に向けて日光が入っているために、この日光に照らされたトンネル内部の領域をユーザが視認できる場合には、ユーザは出口の大まかな位置を認識することが出来ると考えられることを考慮して、このような領域を出口領域として設定する。
【００４２】
ただし、このようにユーザが不安を感じる可能性が低い入口領域や出口領域の具体的な形状や寸法は、時刻に応じた環境変化（例えば日照角度）に応じて変化し得るため、本実施の形態においては、時刻に基づいて、入口領域の範囲又は前記出口領域の範囲を決定する。
【００４３】
例えば、入口領域に関しては、上述した例のように、トンネルの入口からトンネルの内部に向けて日光が入る場合、日光に照らされた領域においてユーザは不安を感じることが少ないと考えられるため、このような日光が入ると推定される日中においては、入口領域をその日光に照らされた領域である比較的広範囲の領域に設定する。また、トンネルの入口からトンネルの内部に向けて日光が入らない場合、例えばトンネルの入口付近であってもユーザは不安を感じる可能性があると考えられるため、このように日光が入らないと推定される夜中においては、入口領域を入口付近のみの比較的狭い範囲の領域に設定する。
【００４４】
また、例えば、出口領域に関しては、上述した例のように、トンネルの出口からトンネルの内部に向けて日光が入る場合、ユーザは当該日光によって照らされた領域を視認することにより出口の存在を認識することが出来ると考えられるため、このような日光が入ると推定される日中においては、出口領域をその日光に照らされた領域である比較的広範囲の領域に設定する。また、トンネルの出口からトンネルの内部に向けて日光が入らない場合、ユーザは出口の開口部を実際に視認するまで出口の存在を認識することが出来ないと考えられるため、このように日光が入らないと推定される夜中においては、出口領域を出口付近のみの比較的狭い範囲の領域に設定する。
【００４５】
これらの点に鑑みて、地図ＤＢ６ａのトンネル情報には、入口領域及び出口領域を特定するための情報が、トンネル毎かつ時刻毎に予め格納されている。そして、以下に示すＳＡ２及びＳＡ３において、入口領域及び出口領域を特定するための情報が、トンネル情報取得部５ａにて必要に応じて取得されて用いられる。なお、入口領域及び出口領域を特定するための情報は、例えば、トンネルの入口領域断面の形状、出口領域断面の形状、入口領域長、及び出口領域長を含む。例えば、地図ＤＢ６ａのトンネル情報には、トンネルＸに関して、午前６時から午前１０時までは入口領域長＝５ｍ、午前１０時から午後３時までは入口領域長＝７ｍ、午後３時から午後６時までは入口領域長＝５ｍ、午後６時から午前６時までは入口領域長＝２ｍのように設定されている。このようなトンネル情報の設定は、例えば、既知の地図情報に含まれるトンネルの形状や、トンネルの周囲環境（日光を遮る地形や構造物の有無等）を考慮して、任意の方法により算定等して、予め地図ＤＢ６ａに設定することができる。そして、判定部５ｄは、ＳＡ２及びＳＡ３を実行する際の時刻を公知の方法により取得し、当該取得した時刻と、ＳＡ１で特定したトンネルに対応するトンネル情報を、地図ＤＢ６ａから取得する。そして、当該取得したトンネル情報に基づいて、入口領域の範囲又は前記出口領域の範囲を設定する。そして、このように設定された入口領域及び出口領域に関して、ＳＡ２及びＳＡ３の処理を実行する。
【００４６】
まず、判定部５ｄは、ＳＡ１において特定したトンネルが、水平平面視上において所定曲率以上湾曲しているか否かを判定する（ＳＡ２）。図３は、トンネル（以降、トンネル１１）の水平平面図であり、図３（ａ）は、案内対象トンネルではないトンネルを示す図、図３（ｂ）は、案内対象トンネルを示す図である。ここで、図３におけるトンネル１１の入口側に位置する網掛け部分が入口領域（以降、入口領域１２）である。そして、当該入口領域１２における車両（以降、車両１０）の進入方向から見て手前側の点線がトンネルの入口（以降、トンネルの入口１３）であり、当該入口領域１２における車両１０の進入方向から見て奥側の点線が入口領域断面（以降、入口領域断面１４）である。また、図３におけるトンネル１１の出口側に位置する網掛け部分が出口領域（以降、出口領域１５）である。そして、当該出口領域１５における車両１０の進入方向から見て奥側の点線がトンネルの出口（以降、トンネルの出口１６）であり、当該出口領域１５における車両１０の進入方向から見て手前側の点線が出口領域断面（以降、出口領域断面１７）である。
【００４７】
そして、判定部５ｄは、この入口領域１２内のいずれかの部分（例えば、図３の左側に示す黒丸部分）と、出口領域１５内のいずれかの部分（例えば、図３の右側に示す黒丸部分）とを、水平平面視上においてトンネル１１上のみを通る直線によって相互に接続することができるか否かを判定する。ここで、「水平平面視上」とは、水平断面による切断面上の意味である。すなわち、本実施の形態においては、このような直線が少なくとも１本存在し得る場合には、トンネル１１の入口領域１２から当該トンネル１１の内部を介して当該トンネル１１の出口領域１５が視認可能であると考える。なお、水平断面による切断面は、トンネル１１の高さ方向に沿って複数存在し得るが、これらいずれか一つの切断面において、このような直線による接続が可能である場合には、視認可能であると考える。ただし、実際には、このような直線が存在し得る場合であっても、ユーザの走行位置や着座位置等によっては、当該直線とユーザがとり得る視線とが一致し得ない可能性も考えられるため、これら着座位置等を考慮して、切断面の高さを制限したり、入口領域１２や出口領域１５において直線で接続する範囲を制限したりしてもよい。
【００４８】
このような直線が存在し得るか否かの具合的な判定方法は任意であり、以下にはその一例を示す。まず、トンネル情報取得部５ａは、トンネル１１の水平断面データをデータ記録部６から取得し、車載ナビ１の制御部５は、当該取得された水平断面データにおける入口領域１２と出口領域１５とを、水平断面に沿って配置される複数のメッシュ領域に細分化する。ここで、当該入口領域１２における細分化された各領域を以下では入口細分領域と称し、当該出口領域１５における細分化された各領域を以下では出口細分領域と称する。そして、車載ナビ１の制御部５は、この入口細分領域のいずれかと、出口細分領域のいずれかとを接続する直線の組み合わせを全通り想定し、この全通りの組み合わせの直線のうち、トンネル１１の内部のみを通る直線が存在するか否かを判定する。
【００４９】
なお、このような判定方法において、トンネル１１の形状が単純曲線の場合、上述した直線がトンネル１１の内部のみを通る可能性が最も高いのは、曲線の最も外側に位置する入口細分領域と、曲線の最も外側に位置する出口細分領域と、を接続する場合である。したがって、このようにトンネル１１の形状が単純曲線の場合、入口細分領域のいずれかと、出口細分領域のいずれかと、を接続する直線の組み合わせを全通り想定する必要はなく、曲線の最も外側に位置する入口細分領域と曲線の最も外側に位置する出口細分領域とを接続する直線のみを想定してもよい。
【００５０】
また、このような判定方法において、ユーザの視界をより考慮に入れた判定を行っても良い。すなわち、入口細分領域と出口細分領域とを接続する直線が存在する場合であっても、実際には、車両１０のユーザの視界には出口領域１５のうち極めて狭い範囲しか写らない場合、例えばユーザが出口からトンネル１１内部に向けて入る日光をトンネル１１の照明と誤認する事が考えられ、出口の大まかな位置の存在を把握できない可能性がある。そこで、入口領域１２から出口領域１５における所定範囲以上の領域を視認することが可能である場合に、当該トンネル１１は入口領域１２から出口領域１５が視認可能であると判定しても良い。具体的には、上述した判定方法において、入口細分領域のいずれかと、出口細分領域のいずれかとを接続する直線が一定の外径を有する直線であるものとする。そして、この一定の外径を有する直線によって入口細分領域のいずれかと、出口細分領域のいずれかとを接続する組み合わせを全通り想定し、直線の全体がトンネル１１の内部のみを通る直線が存在するか否かを判定することにより、当該判定を行うようにしてもよい。
【００５１】
そして、図３（ａ）に示すように、相互に接続することが出来ると判定した場合、当該トンネル１１は水平平面視上において所定曲率以上湾曲しておらず（ＳＡ２、Ｎｏ）、入口領域１２から出口領域１５が視認可能であると判断し、ＳＡ３に移行する。一方、図３（ｂ）に示すように、相互に接続することが出来ないと判定した場合、当該トンネル１１は水平平面視上において所定曲率以上湾曲しており（ＳＡ２、Ｙｅｓ）、入口領域１２から出口領域１５が視認不可能であると判断し、当該トンネル１１を案内対象トンネルであると特定して、ＳＡ６に移行する。
【００５２】
また、時刻に基づいて入口領域１２の範囲又は出口領域１５の範囲を決定することにより、時刻に応じてＳＡ２の処理結果が異なり得る原理について、図４を参照しつつ説明する。図４は、トンネル１１の水平平面図であり、図３（ｂ）とは異なる入口領域１２（入口領域長が異なる入口領域）及び異なる出口領域１５（出口領域長が異なる出口領域）が設定されたトンネル１１を示す図である。なお、図４に示すトンネル１１は、図３（ｂ）に示すトンネル１１と同一のトンネル１１であり、各図は入口領域１２の範囲、及び、出口領域１５の範囲のみが異なる。ここで、図４に示すように、入口領域１２の範囲、及び、出口領域１５の範囲を広げることによって、図３（ｂ）に示すトンネル１１と同一のトンネル１１であっても、入口領域１２内のいずれかの部分と、出口領域１５内のいずれかの部分とを、水平平面視上においてトンネル１１上のみを通る直線によって相互に接続することができる。したがって、この場合、判定部５ｄは、当該トンネル１１は水平平面視上において所定曲率以上湾曲しておらず（ＳＡ２、Ｎｏ）、入口領域１２から出口領域１５が視認可能であると判断する。
【００５３】
次いで、図２に戻り、ＳＡ３について説明する。水平平面視上において所定曲率以上湾曲していないと判断した場合（ＳＡ２、Ｎｏ）、判定部５ｄは、ＳＡ１において特定したトンネル１１が、鉛直平面視上において所定曲率以上湾曲しているか否かを判定する（ＳＡ３）。図５は、トンネル１１の鉛直平面図であり、図５（ａ）は、案内対象トンネルではないトンネル、図５（ｂ）は、案内対象トンネルを示す図である。ここで、図５における入口側に位置する網掛け部分が入口領域１２である。そして、当該入口領域１２における車両１０の進入方向から見て手前側の点線がトンネルの入口１３であり、当該入口領域１２における車両１０の進入方向から見て奥側の点線が入口領域断面１４である。また、図５におけるトンネル１１の出口側に位置する網掛け部分が出口領域１５である。そして、当該出口領域１５における車両１０の進入方向から見て奥側の点線がトンネルの出口１６であり、当該出口領域１５における車両１０の進入方向から見て手前側の点線が出口領域断面１７である。
【００５４】
そして、判定部５ｄは、この入口領域１２内のいずれかの部分（例えば、図５の左側に示す黒丸部分）と、出口領域１５内のいずれかの部分（例えば、図５の左側に示す黒丸部分）とを、鉛直平面視上においてトンネル１１上のみを通る直線によって相互に接続することができるか否かを判定する。ここで、「鉛直平面視上」とは、鉛直断面による切断面上の意味である。なお、ＳＡ３の具体的な内容については、ＳＡ２の具体的な内容において「水平」を「鉛直」と読み替えることにより説明することができるため、その説明を省略する。
【００５５】
そして、図５（ａ）に示すように、相互に接続することが出来ると判定した場合、当該トンネル１１は鉛直平面視上において所定曲率以上湾曲しておらず（ＳＡ３、Ｎｏ）、入口領域１２から出口領域１５が視認可能であると判断して、ＳＡ４に移行する。一方、図５（ｂ）に示すように、相互に接続することが出来ないと判定した場合、当該トンネル１１は鉛直平面視上において所定曲率以上湾曲しており（ＳＡ３、Ｙｅｓ）、入口領域１２から出口領域１５が視認不可能であると判断し、当該トンネル１１を案内対象トンネルであると特定して、ＳＡ６に移行する。
【００５６】
その後、当該トンネル１１が水平平面視上において所定曲率以上湾曲しておらず（ＳＡ２、Ｎｏ）、かつ、鉛直平面視上においても所定曲率以上湾曲いない場合（ＳＡ３、Ｎｏ）、すなわち、当該トンネル１１が案内対象トンネルではないと判定した場合、判定部５ｄは、避難経路情報取得部５ｂにて地図ＤＢ６ａから取得されたトンネル情報に基づいて、当該トンネル１１内に非常口が存在するか否かを判定する（ＳＡ４）。そして、トンネル１１内に非常口が存在しないと判定した場合（ＳＡ４、Ｎｏ）、ＳＡ５に移行する。一方、トンネル１１内に非常口が存在すると判定した場合（ＳＡ４、Ｙｅｓ）、当該トンネル１１は案内対象トンネルではないが、ＳＡ６に移行して、ＳＡ６の判定を経てＳＡ８に移行する可能性を残し、ＳＡ８において非常口の情報をディスプレイ４に表示する可能性を残すことで、ユーザのトンネル１１の運転時における不安の低減を図る。
【００５７】
次いで、当該トンネル１１が水平平面視上において所定曲率以上湾曲しておらず（ＳＡ２、Ｎｏ）、かつ、当該トンネル１１が鉛直平面視上において所定曲率以上湾曲しておらず（ＳＡ３、Ｎｏ）、また、トンネル１１内に非常口が存在しない場合（ＳＡ４、Ｎｏ）、判定部５ｄは、当該トンネル１１の長さが所定の長さ（以下、基準上限長）以上であるか否かを判定する（ＳＡ５）。すなわち、当該トンネル１１が案内対象トンネルであるか否か、又は、当該トンネル１１に非常口が存在するか否かに関らず、トンネル１１の長さが基準上限長以上である場合には、当該トンネル１１を走行する車両１０のユーザはトンネル１１運転時に不安を抱く可能性がある。そこで、判定部５ｄは、当該トンネル１１の長さが基準上限長以上であるか否かを判定し（ＳＡ５）、基準上限長以上であると判定した場合（ＳＡ５、Ｙｅｓ）、当該トンネル１１は案内対象トンネルではないが、ＳＡ６に移行して、ＳＡ６の判定を経てＳＡ８に移行する可能性を残し、ＳＡ８においてトンネル１１に関する情報を表示する可能性を残すことで、ユーザのトンネル１１の運転時における不安の低減を図る。なお、当該トンネル１１の長さが基準上限長以上でない場合（ＳＡ５、Ｎｏ）、当該トンネル１１に関する情報を案内する必要はないと判断し、再度ＳＡ１の処理を実行する。
【００５８】
この基準上限長の具体的な長さは任意であるが、例えば、５ｋｍに設定する。あるいは、この基準上限長を、ＳＡ６の判定を行った時刻によって異なる長さとしても良い。例えば、日中にはトンネル１１が多少長くても不安を抱く可能性が低い事を考慮して、日中は基準上限長を６ｋｍに設定し、反対に、夜間にはトンネル１１が短くても不安を抱く可能性が高い事を考慮して、夜間は基準上限長を４ｋｍに設定しても良い。
【００５９】
また、当該トンネル１１の長さが基準上限長以上であると判定した場合（ＳＡ５、Ｙｅｓ）、次に、判定部５ｄは、当該トンネル１１の長さが所定の長さ（以下、基準下限長）以下であるか否かを判定する（ＳＡ６）。そして、基準下限長以下であると判定した場合（ＳＡ６、Ｙｅｓ）、当該トンネル１１を案内すべきでないと判断し、再度ＳＡ１の処理を実行する。このように、当該トンネル１１が案内対象トンネルであるか否か、又は、当該トンネル１１に非常口が存在するか否かに関らず、当該トンネル１１が基準下限長以下の短いトンネル１１である場合には当該トンネル１１に関する案内を行わない。何故ならば、短いトンネル１１については、当該トンネル１１を走行する上でユーザが不安を抱く可能性が低く、当該トンネル１１に関するトンネル情報を案内する必要性は小さい。寧ろ、短いトンネル１１が連続して配置されているような道路を走行中において、トンネル１１に差し掛かる度にトンネル情報を案内することは、ユーザにとって煩わしく、また、車載ナビ１の処理負荷を増大させてしまうためである。そこで、このようにトンネル１１の長さが短い場合については当該トンネル１１に関するトンネル情報の案内を行わないことで、ユーザにとっての車載ナビ１の利便性を向上させ、また、車載ナビ１の処理負荷の低減を図ることが可能となる。
【００６０】
この基準下限長の具体的な長さは任意であるが、例えば、１ｋｍに設定する。あるいは、この基準下限長を、ＳＡ６の判定を行った時刻によって異なる長さとしても良い。例えば、日中にはトンネル１１が多少長くても不安を抱く可能性が低い事を考慮して、日中は基準下限長を１．５ｋｍに設定し、反対に、夜間にはトンネル１１が短くても不安を抱く可能性が高い事を考慮して、夜間は基準下限長を０．５ｋｍに設定しても良い。
【００６１】
そして、トンネル１１の長さが基準下限長以下でないと判定した場合（ＳＡ６、Ｎｏ）、判定部５ｄは、表示タイミングが到来したか否かの判定を行う（ＳＡ７）。ここで、表示タイミングとは、トンネル情報をディスプレイ４に表示するのに適したタイミングであって、任意のタイミングとして設定することが可能である。なお、本実施の形態では、判定部５ｄが、現在位置取得部２により取得した車両１０の現在位置の位置座標と、トンネル情報取得部５ａにより取得したトンネルの入口１３の位置座標とを比較し、これらが一致した際（すなわち、車両１０がトンネル１１の内部に進入した際）に、表示タイミングが到来したものと判定する。なお、当該表示タイミングは、車両１０がトンネル１１の内部に進入する前や、トンネル１１の内部に進入した後であっても構わない。
【００６２】
そして、判定部５ｄは、表示タイミングが到来するまで待機し（ＳＡ７、Ｎｏ）、表示タイミングが到来したと判定した場合（ＳＡ７、Ｙｅｓ）、案内部５ｅは、トンネル情報取得部５ａにて取得された当該トンネル１１に関するトンネル情報に基づいて、案内を行う（ＳＡ８）。ここで、具体的にどのような案内を行うかは、ユーザが当該トンネル１１を走行する上で抱く不安を低減させる事が可能な案内である限りにおいて任意である。ここで、図６は、ディスプレイ４の表示例を示す図である。このように、本実施の形態では、当該トンネルの名称１８、当該トンネルの全長１９、車両１０の現在位置から入口までの距離と出口までの距離とを表す表示２０、及び、車両１０の現在位置から進行方向の前後の各々において最も近い非常口までの距離を表す表示２１、の４点をディスプレイ４に表示することにより案内を行う。
【００６３】
ここで、図６における、車両の現在位置から入口までの距離と出口までの距離とを表す表示２０は、トンネルの入口を示すマーク２０ａ、トンネルの出口を示すマーク２０ｂ、及び、車両１０の現在位置を示すマーク２０ｃを備えて構成される。ここで、車両の現在位置を示すマーク２０ｃからトンネルの入口を示すマーク２０ａまでの長さ、及び、車両の現在位置を示すマーク２０ｃからトンネルの出口を示すマーク２０ｂまでの長さを実際の距離と対応する長さとすることで、ユーザは、出口までの距離を感覚的に把握することが可能となる。
【００６４】
また、図６における、車両の現在位置から進行方向の前後の各々において最も近い非常口までの距離を表す表示２１は、車両の進行方向前方の非常口を示すマーク２１ａ、車両の進行方向後方の非常口を示すマーク２１ｂ、及び、車両の現在位置を示すマーク２１ｃを備えて構成される。なお、上述した車両の現在位置から入口までの距離と出口までの距離とを表す表示２０と同様に、車両の現在位置を示すマーク２１ｃから車両の進行方向前方の非常口を示すマーク２１ａまでの長さ、及び、車両の現在位置を示すマーク２１ｃから車両の進行方向後方の非常口を示すマーク２１ｂまでの長さ、を実際の距離と対応する長さとすることで、ユーザは、出口までの距離を感覚的に把握することが可能となる。
【００６５】
なお、上述したＳＡ２からＳＡ６における処置の判定結果に応じて異なるトンネル情報を表示しても良い。例えば、ＳＡ２又はＳＡ３において当該トンネル１１が案内対象トンネルではないと判定した場合、当該表示のうち車両の現在位置から入口までの距離と出口までの距離とを表す表示２０を表示しなくても良いし、また、ＳＡ４において当該トンネル１１に非常口が存在しないと判定した場合、当該表示のうち車両１０の現在位置から進行方向の前後の各々において最も近い非常口までの距離を表す表示２１を表示しなくても良い。また、トンネル情報の表示と併せて、車載ナビ１に設けられたスピーカ（図示省略）から表示内容に対応する音声を出力しても良い。
【００６６】
続いて、判定部５ｄは、表示情報の更新を行う（ＳＡ９）。具体的には、現在位置取得部２により改めて取得した現在位置に基づいて、ディスプレイ４の表示内容を変更する。例えば、車両１０が移動することによって、現在位置取得部２により改めて取得した現在位置が、最初の表示時（ＳＡ８）、あるいは、前回の更新時（ＳＡ９）と異なっている場合、当該改めて取得した現在位置に基づいて、車両の現在位置から入口までの距離と出口までの距離とを表す表示２０、及び、車両の現在位置から進行方向の前後の各々において最も近い非常口までの距離を表す表示２１を更新する。そして、判定部５ｄは、当該車両１０が出口に到達したか否かを判定し（ＳＡ１０）、出口に到達していない場合、出口に到達するまでＳＡ９及びＳＡ１０の処理を繰り返し実行する（ＳＡ１０、Ｎｏ）。なお、出口に到達したか否かの判定は、現在位置取得部２により取得した車両１０の現在位置の位置座標と、トンネル情報取得部５ａにより取得したトンネルの出口１６の位置座標とを比較し、これらが一致したか否かを判定することにより行う。そして、出口に到達したと判定した場合（ＳＡ１０、Ｙｅｓ）、案内処理を終了する。そして、再度案内処理が初めから実行され、判定部５ｄにて前方にトンネル１１が有るか否かの判定が行われる（ＳＡ１）。
【００６７】
（本実施の形態の効果）
このように本実施の形態によれば、車両１０が進入するトンネル１１が、トンネル１１の入口領域１２から出口領域１５を視認不可能な案内対象トンネルである場合には当該案内対象トンネルに関する案内を行うので、車両１０のユーザが入口領域１２から出口領域１５を視認することが出来ず当該ユーザに対して不安を抱かせる可能性の高いトンネル１１に進入した際に、当該車両１０のユーザが抱く不安の低減を図ることが可能となり、ユーザの安全性、及び快適性の確保を図ることが可能となる。
【００６８】
また、トンネル１１における入口領域１２のいずれかの位置と当該トンネル１１における出口領域１５のいずれかの位置とを、水平平面視上において当該トンネル１１上のみを通る直線によって相互に接続することができない場合、当該トンネル１１が案内対象トンネルであると判定するので、トンネル１１が案内対象トンネルであるか否かを、トンネル１１の水平平面内の形状の観点から容易に特定することが可能となる。
【００６９】
また、トンネル１１における入口領域１２のいずれかの位置と当該トンネル１１における出口領域１５のいずれかの位置とを、鉛直平面視上において当該トンネル１１上のみを通る直線によって相互に接続することができない場合、トンネル１１が案内対象トンネルであると判定するので、トンネル１１が案内対象トンネルであるか否かを、トンネル１１の鉛直平面内の形状の観点から容易に特定することが可能となる。
【００７０】
また、時刻に基づいて入口領域１２の範囲又は出口領域１５の範囲を決定するので、例えば夜間等のようにトンネル１１内に入る光量が少なく入口領域１２から出口領域１５が視認し難い可能性の高い時刻においては、案内対象トンネルとして判定されるトンネル１１の範囲を広げることが可能となり、時刻に応じた環境変化を考慮して、トンネル情報を案内するか否かの判定を行うことが可能となる。
【００７１】
また、車両１０が進入するトンネル１１が案内対象トンネルであるか否かに関らず当該トンネル１１の長さが所定の長さ以上である場合には当該トンネル１１に関する案内をユーザに出力するので、長さが長いために不安を抱かせる可能性の高いトンネル１１に進入した際にトンネル１１に関する案内がユーザに出力されない事態を防止することが可能となり、当該車両１０のユーザが抱く不安のさらなる低減を図ることが可能となる。
【００７２】
また、車両１０が進入するトンネル１１が案内対象トンネルであるか否かに関らず当該トンネル１１に避難経路が存在する場合には避難経路に関する避難経路情報をユーザに出力するので、ユーザは避難経路に関する情報を確実に取得することが可能となり、車両１０のユーザがトンネル１１に進入した際に当該ユーザに与えられる不安のさらなる低減を図ることが可能となる。
【００７３】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００７４】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。例えば、ユーザのトンネル１１の走行時における不安を確実に低減させることができない場合であっても、従来より僅かに不安を低減させる可能性が有る場合や、従来と同程度に不安を低減させることが従来とは異なる技術により達成できている場合には、本願発明の課題が解決されている。
【００７５】
（分散や統合について）
また、上述した各電気的構成要素は機能概念的なものであり、必ずしも物理的に図示の如く構成されていることを要しない。すなわち、各部の分散や統合の具体的形態は図示のものに限られず、その全部または一部を、各種の負荷や使用状況などに応じて、任意の単位で機能的または物理的に分散や統合して構成できる。例えば、車載ナビ１の各構成要素を、分散配置した上でネットワークを介して相互に接続してもよい。
【００７６】
（案内処理について）
また、本実施の形態では、トンネル１１が案内対象トンネルではなく（ＳＡ２、Ｎｏ）（ＳＡ３、Ｎｏ）、かつ、トンネル１１内に非常口が無い場合（ＳＡ４、Ｎｏ）、当該トンネル１１は案内を行う必要が無いと判断したが、このような場合であっても、トンネル１１の全長が所定長さ以上である場合、案内を行っても良い。すなわち、トンネル１１の全長が所定長さ以上である場合、トンネル１１が水平平面視上や鉛直平面視上において湾曲していない場合であっても、出口領域１５が小さく遠方にしか視認できないため、このようなトンネル１１を走行するユーザは不安を抱く可能性が高い。したがって、このようなユーザの不安を低減させるために、トンネル情報の表示を行っても良い。
【００７７】
また、本実施の形態では、車両１０の進行方向の前方にトンネル１１が有ると判定した場合（ＳＡ１、Ｙｅｓ）、ＳＡ２以降の処理を実行したが、これに限らず、車両１０がトンネル１１の内部に進入したことが確定した後に、ＳＡ２以降の処理を実行しても良い。
【００７８】
また、各処理内容は適宜順序を入れ替えても良い。例えば、ＳＡ２の処理と、ＳＡ３の処理の順序を入れ替えて実行してもよい。
【００７９】
本実施の形態では、水平平面視上又は鉛直平面視上において入口領域１２から出口領域１５が視認できるか否かに基づいて案内対象トンネル１１であるか否かの判定を行ったが、その他の平面視上において視認できるか否かに基づいて当該判定を行っても良い。例えば、斜め平面視上（水平断面及び鉛直断面に対して非平行な断面上）において視認できるか否かに基づいて当該判定を行っても良い。
【００８０】
（入口領域の範囲及び出口領域の範囲について）
本実施の形態では、時刻に応じて入口領域１２の範囲又は出口領域１５の範囲を決定したが、これに限らず、入口領域１２の範囲や出口領域１５の範囲は時刻に関らず一律であっても良い。また、本実施の形態では、車両１０がトンネル１１内に進入する時刻に基づいて上記範囲を決定したが、トンネル特定部５ｃによりトンネル１１が特定されてから、当該トンネル１１を車両１０が退出するまでにおける、いずれかの時刻に基づいて、上記範囲を決定しても良い。なお、このように、「トンネル１１を車両１０が退出するまで」としたのは、トンネル１１を車両１０が退出するまでの間に時刻に応じた環境は変化し得るため、その環境変化に応じた入口領域１２の範囲や出口領域１５の範囲を設定しても良いためである。例えば、渋滞等によって、トンネル特定部５ｃによりトンネル１１が特定されてから当該トンネル１１を車両１０が退出するまでの間に長時間を要することが有り、このような場合には、当該トンネル１１を車両１０が退出するまでの間にトンネルの出口１６からトンネル１１の内部に向けて入る日光の量等も変化するためである。
【００８１】
（ユーザの属性について）
また、ユーザの属性（年齢、資力、及び、座高等）に基づいて入口領域１２の範囲又は出口領域１５の範囲を決定してもよい。なお、当該ユーザの属性は、ユーザを一意に識別するためのＩＤとユーザの属性とを対応付けて格納したＤＢから取得しても良い。
【００８２】
（視認不可能について）
「視認不可能」とは、例えば絶対に視認できない場合だけでなく、視認が困難な場合も含めても良い。この視認が困難な場合とは、例えば、トンネル１１内部の道路が渋滞しており、他の車両１０によって視界が遮られてしまうことにより視認が困難な場合等が含まれる。
【００８３】
（付記）
付記１に記載のナビゲーションシステムは、車両の現在位置を取得する現在位置取得手段と、トンネルに関するトンネル情報を取得するトンネル情報取得手段と、前記現在位置取得手段にて取得された現在位置と、前記トンネル情報取得手段にて取得されたトンネル情報とに基づいて、当該車両が進入するトンネルを特定するトンネル特定手段と、前記トンネル特定手段により特定されたトンネルが案内対象とすべき案内対象トンネルであるか否かを判定する判定手段であって、当該特定されたトンネルの入口側の所定領域である入口領域から当該トンネル内部を介して当該トンネルの出口側の所定領域である出口領域が視認不可能であるか否かを判定し、視認不可能であると判定した場合には、当該特定したトンネルが前記案内対象トンネルであると判定する判定手段と、前記判定手段により前記特定されたトンネルが前記案内対象トンネルであると判定された場合、前記トンネル情報取得手段にて取得されたトンネル情報に基づいて、当該案内対象トンネルに関する案内をユーザに出力する案内手段と、を備える。
【００８４】
また、付記２に記載のナビゲーションシステムは、付記１に記載のナビゲーションシステムにおいて、前記判定手段は、前記トンネル特定手段にて特定された前記トンネルが水平平面視上において湾曲していることによって、当該トンネルにおける前記入口領域のいずれかの位置と当該トンネルにおける前記出口領域のいずれかの位置とを、前記水平平面視上において前記トンネル上のみを通る直線によって相互に接続することができない場合に、当該トンネルにおける前記入口領域から前記出口領域が視認不可能であると判定する。
【００８５】
また、付記３に記載のナビゲーションシステムは、付記１又は２に記載のナビゲーションシステムにおいて、前記判定手段は、前記トンネル特定手段にて特定された前記トンネルが鉛直平面視上において湾曲していることによって、当該トンネルにおける前記入口側の開口部のいずれかの位置と当該トンネルにおける前記出口側の開口部のいずれかの位置とを、前記鉛直平面視上において前記トンネル上のみを通る直線によって相互に接続することができない場合に、当該トンネルにおける前記入口領域から前記出口領域が視認不可能であると判定する。
【００８６】
また、付記４に記載のナビゲーションシステムは、付記１から３のいずれか一項に記載のナビゲーションシステムにおいて、前記判定手段は、時刻に基づいて、前記入口領域の範囲又は前記出口領域の範囲を決定する。
【００８７】
また、付記５に記載のナビゲーションシステムは、付記１から４のいずれか一項に記載のナビゲーションシステムにおいて、前記判定手段は、前記トンネル特定手段により特定されたトンネルの長さが所定の長さ以上であるか否かを判定し、前記案内手段は、前記判定手段にて前記トンネルの長さが所定の長さ以上であると判定された場合には、前記判定手段にて当該トンネルは前記案内対象トンネルではないと判定された場合であっても、当該トンネルに関する案内をユーザに出力する。
【００８８】
また、付記６に記載のナビゲーションシステムは、付記１から５のいずれか一項に記載のナビゲーションシステムにおいて、トンネル内の避難経路に関する避難経路情報を取得する避難経路情報取得手段を備え、前記判定手段は、前記トンネル特定手段により特定された前記トンネルに避難経路が存在するか否かを、前記避難経路情報取得手段にて取得された前記避難経路情報に基づいて判定し、前記案内手段は、前記判定手段にて前記トンネルに避難経路が存在すると判定された場合には、前記判定手段にて当該トンネルは前記案内対象トンネルではないと判定された場合であっても、当該避難経路に関する避難経路情報をユーザに出力する。
【００８９】
また、付記７に記載のナビゲーション方法は、車両の現在位置を取得する現在位置取得ステップと、トンネルに関するトンネル情報を取得するトンネル情報取得ステップと、前記現在位置取得ステップにおいて取得された現在位置と、前記トンネル情報取得ステップにおいて取得されたトンネル情報とに基づいて、当該車両が進入するトンネルを特定するトンネル特定ステップと、前記トンネル特定ステップにおいて特定されたトンネルが案内対象とすべき案内対象トンネルであるか否かを判定する判定ステップであって、当該特定されたトンネルの入口側の所定領域である入口領域から当該トンネル内部を介して当該トンネルの出口側の所定領域である出口領域が視認不可能であるか否かを判定し、視認不可能であると判定した場合には、当該特定したトンネルが前記案内対象トンネルであると判定する判定ステップと、前記判定ステップにおいて前記特定されたトンネルが前記案内対象トンネルであると判定された場合、前記トンネル情報取得ステップにおいて取得されたトンネル情報に基づいて、当該案内対象トンネルに関する案内をユーザに出力する案内ステップと、を含む。
【００９０】
また、付記８に記載のナビゲーションプログラムは、付記７に記載の方法をコンピュータに実行させるナビゲーションプログラムである。
【００９１】
（付記の効果）
付記１に記載のナビゲーションシステム、付記７に記載のナビゲーション方法、及び付記８に記載のナビゲーションプログラムによれば、車両が進入するトンネルが、トンネルの入口領域から出口領域を視認不可能な案内対象トンネルである場合には当該案内対象トンネルに関する案内を出力するので、車両のユーザが入口領域から出口領域を視認することが出来ず当該ユーザに対して不安を抱かせる可能性の高いトンネルに進入した際に、車両のユーザが抱く不安を低減することが可能となり、ユーザの安全性及び快適性を向上させることが可能となる。
【００９２】
また、付記２に記載のナビゲーションシステムによれば、トンネルにおける入口領域のいずれかの位置と当該トンネルにおける出口領域のいずれかの位置とを、水平平面視上において当該トンネル上のみを通る直線によって相互に接続することができない場合、当該トンネルが案内対象トンネルであると判定するので、トンネルが案内対象トンネルであるか否かを、トンネルの水平平面内の形状の観点から容易かつ正確に特定することが可能となる。
【００９３】
また、付記３に記載のナビゲーションシステムによれば、トンネルにおける入口領域のいずれかの位置と当該トンネルにおける出口領域のいずれかの位置とを、鉛直平面視上において当該トンネル上のみを通る直線によって相互に接続することができない場合、トンネルが案内対象トンネルであると判定するので、トンネルが案内対象トンネルであるか否かを、トンネルの鉛直平面内の形状の観点から容易かつ正確に特定することが可能となる。
【００９４】
また、付記４に記載のナビゲーションシステムによれば、時刻に基づいて入口領域の範囲又は出口領域の範囲を決定するので、例えば夜間等のようにトンネル内に入る光量が少なく入口領域から出口領域が視認し難い可能性の高い時刻においては、案内対象トンネルとして判定されるトンネルの範囲を広げることが可能になる等、時刻に応じたトンネル周辺の環境変化を、トンネル情報の案内の有無の判定に反映させることが可能となる。
【００９５】
また、付記５に記載のナビゲーションシステムによれば、トンネルの長さが所定の長さ以上であると判定された場合には、トンネルは前記案内対象トンネルではないと判定された場合であっても、トンネルに関する案内をユーザに出力するので、トンネルの入口領域から出口領域が視認可能な場合であってもトンネルの長さが長いために車両のユーザに不安を抱かせる可能性が高い場合において、トンネルに関する案内がユーザに出力されない事態を防止することが可能となり、トンネルの長さに起因して車両のユーザが抱く不安を低減することが可能となる。
【００９６】
また、付記６に記載のナビゲーションシステムによれば、トンネルに避難経路が存在すると判定された場合には、トンネルは前記案内対象トンネルではないと判定された場合であっても、避難経路に関する避難経路情報をユーザに出力するので、トンネルの入口領域から出口領域が視認可能な場合であっても避難経路があるためにトンネルの安全性について車両のユーザに不安を抱かせる可能性が高い場合において、避難経路に関する情報をユーザに出力することができ、避難経路の存在に起因して車両のユーザが抱く不安を低減することが可能となる。
【符号の説明】
【００９７】
１  車載ナビ
２  現在位置取得部
３  タッチパネル
４  ディスプレイ
５  制御部
５ａ  トンネル情報取得部
５ｂ  避難経路情報取得部
５ｃ  トンネル特定部
５ｄ  判定部
５ｅ  案内部
６  データ記録部
６ａ  地図ＤＢ
１０  車両
１１  トンネル
１２  入口領域
１３  トンネルの入口
１４  入口領域断面
１５  出口領域
１６  トンネルの出口
１７  出口領域断面
１８  トンネルの名称
１９  トンネルの全長
２０  車両の現在位置から入口までの距離と出口までの距離とを表す表示
２０ａ  トンネルの入口を示すマーク
２０ｂ  トンネルの出口を示すマーク
２０ｃ  車両の現在位置を示すマーク
２１  車両の現在位置から進行方向の前後の各々において最も近い非常口までの距離を表す表示
２１ａ  車両の進行方向前方の非常口を示すマーク
２１ｂ  車両の進行方向後方の非常口を示すマーク
２１ｃ  車両の現在位置を示すマーク
【図１】
2015010854.tif 000003
【図２】
2015010854.tif 000004
【図３】
2015010854.tif 000005
【図４】
2015010854.tif 000006
【図５】
2015010854.tif 000007
【図６】
2015010854.tif 000008